【事件の表示】
　特願２００９−２９８９４１「プロジェクタ及びプロジェクタに設置されたランプの冷却方法」拒絶査定不服審判事件〔平成２３年　７月１４日出願公開、特開２０１１−１３８０５３〕について、次のとおり審決する。
【結　論】
　本件審判の請求は、成り立たない。
【理　由】
第１　手続の経緯
　本願は、平成２１年１２月２８日の出願であって、平成２５年９月２４日付けで拒絶理由が通知され、同年１１月２８日付けで意見書が提出されるとともに同日付けで手続補正書が提出され、さらに同年１２月１８日付けで拒絶理由が通知され、平成２６年２月２４日付けで意見書が提出されるとともに同日付けで手続補正書が提出されたが、同年３月７日付けで拒絶査定がなされ、これに対して、同年６月１１日に拒絶査定に対する審判請求がなされ、同日付けで手続補正がなされた。
第２　平成２６年６月１１日付けの手続補正についての補正却下の決定
［補正却下の決定の結論］
　平成２６年６月１１日付けの手続補正を却下する。
［理由]
１　本件補正の内容
（１）本件補正後の特許請求の範囲
　平成２６年６月１１日付け手続補正（以下「本件補正」という。）は、本件補正前の特許請求の範囲を以下のとおり補正することを含むものである（下線は請求人が付与したとおりである。）。
＜本件補正後の特許請求の範囲＞
「　【請求項１】
　互いに隣接して配置された光源である
二つ
　前記ランプ近傍の空気を排出する、前記
二つ
一つの
　
点灯した前記ランプから排出された空気および非点灯の前記ランプから排出された空気を接触させて、両方の空気の温度を変化させる、
　を備える、
２灯切替え式
　　【請求項２】
　前記ランプを内蔵する箱状のランプボックスを更に備え、
　前記ランプボックスは、前記ランプの空気の排出側に開口部が形成され、前記開口部の側壁は前記伝熱部材に前記ランプから排出された空気が流れやすいように前記伝熱部材側に傾斜して形成された、請求項
１
２灯切替え式
　　【請求項３】
　互いに隣接して配置された光源である
二つ
　前記
二つ
　前記
二つ
２灯切替え式
　　【請求項４】
　互いに隣接して配置された光源である
二つ
　前記
二つ
二つ
　前記
二つ
および非点灯の前記ランプから排出された空気
て、両方の空気の温度を変化させ
２灯切替え式
（２）本件補正前の特許請求の範囲
　本件補正前の特許請求の範囲は、平成２６年２月２４日付けの手続補正書に記載された、下記のとおりのものである。
＜本件補正前の特許請求の範囲＞
「　　【請求項１】
　互いに隣接して配置された光源である複数のランプと、
　前記ランプ近傍の空気を排出する、前記複数のランプに隣接して設置された排気ファンと、
　前記複数のランプの空気の排出側に設置された伝熱部材と、
　を備える、プロジェクタ。
　　【請求項２】
　前記プロジェクタは、一つの排気ファンを備える、請求項１に記載のプロジェクタ。
　　【請求項３】
　前記伝熱部材は、前記複数のランプの空気の排出側の中間に配置される、請求項２に記載のプロジェクタ。
　　【請求項４】
　前記ランプを内蔵する箱状のランプボックスを更に備え、
　前記ランプボックスは、前記ランプの空気の排出側に開口部が形成され、前記開口部の側壁は前記伝熱部材に前記ランプから排出された空気が流れやすいように前記伝熱部材側に傾斜して形成された、請求項２または３に記載のプロジェクタ。
　　【請求項５】
　互いに隣接して配置された光源である複数のランプのうち一つの前記ランプのみが点灯し、
　前記複数のランプに隣接して配置された一つの排気ファンが、点灯した前記ランプ近傍の空気と、非点灯の前記ランプ近傍の空気を混合して排出し、
　前記複数のランプの空気の排出側に設置された伝熱部材に、点灯した前記ランプから排出された空気および非点灯の前記ランプから排出された空気を接触させて、両方の空気の温度を変化させる、プロジェクタに設置されたランプの冷却方法。
　　【請求項６】
　互いに隣接して配置された光源である複数のランプが点灯し、
　前記複数のランプに隣接して配置された一つの排気ファンが、前記複数のランプの近傍の空気を混合して排出し、
　前記複数のランプの空気の排出側に設置された伝熱部材に、前記複数のランプから排出された空気を接触させる、プロジェクタに設置されたランプの冷却方法。」
（３）請求項１についての補正事項
　本件補正後の請求項１は、本件補正前の請求項１を引用する請求項２を下記の事項について補正したものである。
ア　本件補正前の「複数のランプ」を「二つのランプ」と補正すること
イ　本件補正後に「点灯した前記ランプから排出された空気および非点灯の前記ランプから排出された空気を接触させて、両方の空気の温度を変化させる、」を追加すること
ウ　本件補正前の「プロジェクタ」を「２灯切替え式プロジェクタ」に補正すること
２　本件補正の目的
　上記補正事項アないしウは、いずれも補正前の記載事項を限定するものである。
　したがって、本件補正は、特許法第１７条の２第４項第２号に掲げる特許請求の範囲の減縮を目的とする補正を含むものである。
３　独立特許要件違反
　そこで、本件補正後の請求項１に記載された発明（以下「本願補正発明」という。）が特許出願の際独立して特許を受けることができるものであるか（特許法第１７条の２第６項において準用する同法第１２６条第７項の規定に適合するか）を、進歩性要件（特許法第２９条第２項）について以下に検討する。
（１）本願補正発明の認定
　本願補正発明は、上記１に記載したとおり、本件補正後の特許請求の範囲の請求項１に記載されたとおりのものと認める。
（２）刊行物、各刊行物の記載事項及び引用発明の認定
ア　原査定の拒絶の理由に引用され、本願出願前に頒布された刊行物である、特開平８−１３７００８号公報（以下「引用文献１」という。）には、以下の事項が記載されている（下線部は当審による。）。
（ア）「【０００１】
【技術分野】本発明は、ビデオテープ、ビデオディスク、テレビ放送等ビデオ信号による映像を投映する投映型液晶プロジェクターに関し、より詳しくは
複数の光源を備えた液晶プロジェクター
（イ）「【０００６】
【発明の目的】本発明は、上述した従来の問題点に鑑み成されたもので、
複数の光源を選択的に使用して、画像を投映している間は光源に異常が発生しても光源の発光状態を維持できる液晶プロジェクターを提供する
（ウ）「【０００９】図２はケース１の上部を取り除いて内部を示した平面図である。
ハロゲンランプまたはメタルハライドランプ等からなる光源Ａおよび光源Ｂがケース１内部に設置され
【００１０】図３は光源Ａおよび光源Ｂを取り除いた状態でケース１内部を示した平面図である。スクリーン１２の中心線Ｏにその中心点を一致させて第１反射鏡２が配設されている。そして、第１反射鏡２は所定の矩形で構成されており、図３にはスクリーン１２の中心線Ｏに対して所定角度傾いた状態が示されている。より具体的には、図３の状態、すなわち装置を上部から平面視した場合、において第１反射鏡２はその矩形面を液晶パネル７（被照明体）の光軸Ｏに対して約２２．９゜傾斜させている。本実施例ではこの状態を
液晶プロジェクターが通常使用される場合の第１反射鏡２の位置と定義し、第１反射鏡２は光源Ａと対向する
【００１１】図４は、図２の矢印IV−IV方向から見た液晶プロジェクターの断面図である。まず、ケース１の上部には通気孔１ｂが設けらている。該通気孔１ｂの直下には光源Ｂが水平に対して所定角度傾いた状態で設置されている。そして、平面図において液晶パネル７の光軸Ｏに対して２２．９゜傾斜している第１反射鏡２が、垂直方向についても液晶パネル７の光軸Ｏに対して所定角度傾斜して光源Ａと対向した状態が示されている。さらに光源Ａからの光束の進行方向に沿って、熱線吸収フィルタ６、液晶パネル７、および集光レンズ８が所定の機構によりケース１に保持されている。集光レンズ８に続いて、第２反射鏡９、投映レンズ系１０、および第３反射鏡１１が所定の機構によりケース１に支持されている。図に示すように、
第１反射鏡２は、回転軸４が設けられた反射鏡取付台３に配設されており、該反射鏡取付台３は、ケース１内に固定された基台５上を、軸４を中心に回転可能に構成されている。
【００１２】第１反射鏡２の上述の傾斜角度についてさらに述べると、第１反射鏡２は図４の断面図において、液晶パネル７の光軸に対して約５０．２゜で傾斜し、かつ光源Ａの光軸と液晶パネル７の光軸が交わる点を通り液晶パネル７の光軸と直交する回転軸４を中心に回転するように構成されている。この関係は光源Ｂにも同様に適用される。
【００１３】図５は、図４の矢印Ｖ−Ｖ方向から見た液晶プロジェクター内部を示す断面図である。本図に明示するように、
光源Ａおよび光源Ｂは、所定の支持機構により、使用状態で第１反射鏡２に対向するように、水平に対して所定角度傾斜して設置されている。具体的には、光源Ａおよび光源Ｂの光軸は回転軸４の中心線に対してそれぞれ２５゜の角度を保って第１反射鏡２の中心と交わるように設定されている。さらに、ケース１内の所定部分には冷却用のファン１４、前述のフックレバー１７を作動させるソレノイド１８、および回路基板１９（異常検知手段）が設けられている。この回路基板１９は、光源Ａおよび光源Ｂへ電源を供給する電源供給回路と該電源供給回路の電源供給状態を検知する電流検知回路を備えている。
（エ）「【００１６】そして、
第１反射鏡２が光源Ａに対向する通常の使用状態において、光源Ａが、振動等の外力、寿命によるフィラメントの断線等により発光不能になると、回路基板１９の電流検知回路によりその異常が検知され、光源Ｂを発光状態にするとともに、
反射鏡取付台３がバネ１５の復元力により軸４を中心に回転する。
【００１７】この状態をさらに図６、図９および図１０を比較して示す。図６には、回転軸４と反射鏡取付台３の通常使用状態での相対位置を表す線分Ｐが描かれている。この図６に示す状態はすでに述べた液晶プロジェクターの断面図５に相当する。線分Ｐ上には、回転軸４、ストッパピン４ａおよび反射鏡取付台３に接続したバネ１５の一端が位置している。そして、フックレバー１７とストッパピン４ａの係合状態が解かれると、図９に示すように、反射鏡取付台３に接続したバネ１５の一端はバネの復元力により円弧状溝５ｃに案内され光源Ｂに対向する位置まで瞬時に所定角度回転して停止し、かつストッパピン４ａは円弧状溝５ｂに案内されて停止する。すなわち、図６に示した線分Ｐは瞬時に図９に示す線分Ｐ’の位置まで回転し、
第１反射鏡２は光源Ｂに対向する。
（オ）「【発明の効果】本発明によれば、状況に応じて
液晶プロジェクターの複数の光源を選択的に使用する
（カ）図２
（キ）図５
（ク）上記（カ）及び（キ）より、引用発明１の光源Ａ及び光源Ｂが互いに隣接して配置され、光源Ａ及び光源Ｂは二つのランプを備えることは明らかである。
（ケ）上記（ア）ないし（ク）より、引用文献１には、以下の発明（以下「引用発明１」という。）が記載されている。
「ケース１を備えた液晶プロジェクターにおいて、
　二つのハロゲンランプまたはメタルハライドランプ等からなる互いに隣接して配置された光源Ａ及び光源Ｂがケース１内部に設置され、
　第１反射鏡２が、回転軸４が設けられた反射鏡取付台３に配設されており、該反射鏡取付台３は、前記ケース１内に固定された基台５上を、前記回転軸４を中心に回転可能に構成され、
　前記光源Ａ及び前記光源Ｂは、所定の支持機構により、使用状態で第１反射鏡２に対向するように、水平に対して所定角度傾斜して設置され、前記光源Ａ及び前記光源Ｂの光軸は回転軸４の中心線に対してそれぞれ２５゜の角度を保って前記第１反射鏡２の中心と交わるように設定され、
　前記ケース１内の所定部分には冷却用のファン１４、フックレバー１７を作動させるソレノイド１８、および回路基板１９（異常検知手段）が設けられており、
　　前記第１反射鏡２が光源Ａに対向する通常の使用状態において、前記光源Ａが、振動等の外力、寿命によるフィラメントの断線等により発光不能になると、前記回路基板１９の電流検知回路によりその異常が検知され、前記光源Ｂを発光状態にするとともに、前記反射鏡取付台３がバネ１５の復元力により前記回転軸４を中心に回転し、前記第１反射鏡２は前記光源Ｂに対向する、
　複数の光源を選択的に使用する液晶プロジェクター。」
イ　原査定の拒絶の理由に引用され、本願出願前に頒布された刊行物である、特開２００６−１６２６８９号公報（以下「引用文献２」という。）には、以下の事項が記載されている（下線部は当審による。）。
（ア）「【００３１】
  まず、図１に示したプロジェクについて説明すると、このプロジェクタは、プロジェクタケース１内に、入射光の出射を制御して画像を表示する画像表示素子９と、前記画像表示素子９の表示画像を図示しない外部の投影面に投影する投影レンズ１０と、前記画像表示素子９に入射させる光を投射する光源装置１１と、前記光源装置１１からの投射光を前記画像表示素子９に入射させる光源側光学系２１とを設けたものであり、前記投影レンズ１０は、プロジェクタケース１の前面の一端側に設けられた投影窓２に対向させて配置され、その後方に画像表示素子９が配置されている。
【００３２】
  前記画像表示素子９は、その表示面から入射した光を反射して前記表示面から出射する反射型表示素子であり、この実施例では、複数のマイクロミラー（図示せず）が行方向及び列方向にマトリックス状に配列した表示エリアを有し、正面方向に対して一方の方向に傾いた入射方向から所定の入射角で入射した光の反射方向を、前記複数のマイクロミラーの傾き方向の切換えにより制御して画像を表示するマイクロミラー表示素子を用いている。以下、この反射型画像表示素子９をマイクロミラー表示素子という。
【００３３】
  そして、前記光源装置１１は、前記マイクロミラー表示素子９から出射して前記投影レンズ１０に入射する画像光の光路の側方に、この光源装置１１からの光の投射方向を前記画像光の光路に向けて配置されており、この光源装置１１と前記マイクロミラー表示素子９との間に、前記画像光の光路を挟んで前記光源装置１１の配置側とは反対側に配置された反射板２３を有し、前記光源装置１１からの投射光を前記反射板２３により反射して前記マイクロミラー表示素子９にその表示面から入射させる光源側光学系２１が設けられている。
【００３４】
  なお、前記光源側光学系２１は、前記光源装置１１からの投射光を平行光に補正して前記反射板２３に入射させるコンデンサレンズ２２を備えており、このコンデンサレンズ２２は、前記画像光の光路と前記光源装置１１との間に配置されている。
【００３５】
  また、
前記プロジェクタケース１には、前記光源装置１１の配置側の側面に、ケース１を空冷するための吸気部３と排気部４が設けられており、前記プロジェクタケース１に、前記吸気部３と排気部４にそれぞれ対応させて吸気ファン５と排気ファン６が配置されている。
（イ）「【００３７】
  次に、前記
プロジェクタ
光源装置１１は、図２に示したように、超高圧水銀ランプ等の光源ランプ１３と前記光源ランプ１３からの放射光を集光方向に反射して一方向に出射するリフレクタ１４とからなる２つの光源部１２Ａ，１２Ｂを備え、前記２つの光源部１２Ａ，１２Ｂのうち、１つの光源部（以下、第１の光源部という）１２Ａを、その出射方向を所定の方向に向けて配置し、他の光源部（以下、第２の光源部という）１２Ｂを、その出射方向を前記第１の光源部１２Ａからの出射光の光路に対して斜めに交差するに向けて配置する
【００３８】
  なお、この実施例では、
前記第２の光源部１２Ｂを、前記第１の光源部１２Ａの一側の近傍に配置
（ウ）図１
　図１より、それぞれ光源ランプ１３を備えた互いに隣接して配置された二つの光源１２Ａ、１２Ｂと、光源１２Ａと、光源１２Ａの近傍に配置された排気部４と、が看取できる。
（エ）上記（ア）ないし（ウ）より、引用文献２には、以下の発明（以下「引用発明２」という。）が記載されている。
「光源装置１１は、超高圧水銀ランプ等の二つの光源ランプ１３と前記光源ランプ１３からの放射光を集光方向に反射して一方向に出射するリフレクタ１４とからなる互いに隣接して配置された光源部１２Ａ，１２Ｂを備え、前記光源部１２Ａ，１２Ｂのうち、１つの光源部（以下、第１の光源部という）１２Ａを、その出射方向を所定の方向に向けて配置し、他の光源部（以下、第２の光源部という）１２Ｂを、その出射方向を前記第１の光源部１２Ａからの出射光の光路に対して斜めに交差するに向けて配置し、
  前記第２の光源部１２Ｂを、前記第１の光源部１２Ａの一側の近傍に配置し、
　前記プロジェクタケース１には、前記光源装置１１の配置側の側面に、ケース１を空冷するための吸気部３と排気部４が設けられており、前記プロジェクタケース１に、前記吸気部３と排気部４にそれぞれ対応させて吸気ファン５と排気ファン６が配置されている、プロジェクタ」
（３）対比・判断
ア  本願補正発明と引用発明１を対比する。
（ア）引用発明１の「二つのハロゲンランプまたはメタルハライドランプ等からなる互いに隣接して配置された光源Ａ及び光源Ｂ」は、本願補正発明の「互いに隣接して配置された光源である二つのランプ」に相当する。
（イ）引用発明１は光源Ａが発光不能になると光源Ｂを点灯させて、液晶プロジェクタの動作を中断することなく画像を投影するものであるから、引用発明１の「複数の光源を選択的に使用する、液晶プロジェクター」は、本願補正発明の「２灯切替え式プロジェクタ」に相当する。
（ウ）引用発明１の「冷却用のファン１４」と本願補正発明の「排気ファン」とは、両者ともプロジェクタを冷却する「ファン」である点で共通する。
（エ）上記（ア）ないし（ウ）より、本願補正発明と引用発明１は、
「互いに隣接して配置された光源である二つのランプと、ファンと、を備える、２灯切替え式プロジェクタ。」
で一致し、下記相違点１及び２で相違すると認められる。
＜相違点１＞
　本願補正発明では、「ランプ近傍の空気を排出する、前記二つのランプに隣接して設置された一つの排気ファン」「を備える」のに対して、引用発明１では「ケース１内の所定部分には冷却用のファン１４」が設けられていて、該「ファン１４」が排気ファンかどうかは明らかでない点。
＜相違点２＞
　本願補正発明では、「点灯したランプから排出された空気および非点灯の前記ランプから排出された空気を接触させて、両方の空気の温度を変化させる、前記二つのランプの空気の排出側に設置された伝熱部材」「を備える」のに対して、引用発明１ではそのような伝熱部材を備えるかどうか明らかでない点。
イ　相違点の判断
（ア）相違点１について
　プロジェクタ内部や光源を冷却するために、二つの光源に隣接して設置された一つの排気ファンを設置することは、周知の事項である（例えば、米国特許出願公開第２００９／２０７３８２号明細書の「［００３２］As described above, the heat generated by the first light source module  12  can be guided as the flow  22  by the first flow-conducting member  14  and the second fan  20 . And then the flow  22  is drained away from the projecting system via the second fan  20 . Therefore, the heat cannot have much influence on the second light source module  24  adjacent to the first light source module  12 . Similarly, the heat generated by the second light source module  24  (shown as the flow  32 ) is drained away from the projecting system via the second fan  20  and cannot have much influence on the first light source module  12 , either. Therefore, farther distance between the first light source module  12  and the second light source  24  is not necessary.」（上述したように、第１光源モジュール１２で発生した熱は、第１の伝導部材１４と第２ファン２０とによってフロー２２のように導くことができる。その後、フロー２２は、第２のファン２０を介して投影システムから排出される。したがって、熱（フロー３２として示されている）は、第１の光源モジュール１２に隣接する第２の光源モジュール２４に大きな影響を及ぼさない。同様に、第２光源モジュール２４で発生した熱は、第２のファン２０を介して投影システムから排出され、第１の光源モジュール１２にも大きな影響を及ぼさない。したがって、第１の光源モジュール１２と第２の光源モジュール２４とを離す必要はない。）（訳は当審にて付した。）との記載事項参照。）。
　そして、筐体の大きさや形等に応じて、冷却ファンとするか排気ファンとするか、排気ファンの個数や配置をどのようにするかは、当業者が適宜決定する事項にすぎない。
　してみると、引用発明１において「冷却用のファン１４」に代えて、プロジェクタ内部や光源を冷却するために周知の事項である排気ファンを適用して、互いに隣接して配置された光源である二つのランプに対して、前記二つのランプ近傍の空気を排出する、前記二つのランプに隣接して一つの排気ファンを設置するようにすることは、当業者が容易に想到し得ることである。
（イ）相違点２について
　光源を冷却するために伝熱部材を設置して、２つの光源からの空気を接触させて、両方の空気の温度を変化させることは、周知の事項である（例えば、登録実用登録３１１６１０８号公報の図７の「２つの発光ダイオード（１２）」に設けられた「放熱部材（３２）」を参照。）
　してみると、引用発明１において、プロジェクタ内部や光源を冷却するために周知の事項である光源の空気の排出側に設置された伝熱部材を適用して、点灯したランプから排出された空気および非点灯の前記ランプから排出された空気を接触させて、両方の空気の温度を変化させる、前記二つのランプの空気の排出側に伝熱部材を設置することは、当業者が容易に想到し得ることである。
（４）相違点の検討・判断の小括
　以上のとおり、相違点１及び２に係る本願補正発明の発明特定事項は当業者が容易に想到し得ることである。
　そして、本願補正発明が奏する作用効果も、引用発明１及び上記周知の事項から当業者が容易に予測できる範囲を超えるものではない。
　よって、本願補正発明は、引用発明１及び上記周知の事項に基づいて、当業者が容易に発明をすることができたものである。
（５）独立特許要件についての小括
　以上検討のとおり、本願補正発明は、特許法第２９条第２項の規定により、特許出願の際独立して特許を受けることができないものである。
４　本件補正についての結び
　以上のとおり、本件補正は、特許法第１７条の２第６項において準用する同法第１２６条第７項の規定に違反するので、同法第１５９条第１項の規定において読み替えて準用する同法第５３条第１項の規定により却下すべきものである。
　よって、上記補正の却下の決定の結論のとおり決定する。
第３　本願発明について
１　本願発明
　上記のとおり、本件補正は却下されたので、本願の請求項１ないし６に係る発明は、平成２６年２月２４日付け手続補正書の特許請求の範囲の請求項１ないし６に記載された事項によって特定されるものである（上記「第２　１（２）本件補正前の特許請求の範囲」を参照。請求項１に係る発明を以下「本願発明」という。）。
２　刊行物、各刊行物の記載事項及び引用発明の認定
　上記「第２　３（２）刊行物、各刊行物の記載事項及び引用発明の認定」に記載したとおりである。
３　対比・判断
ア　対比
（ア）引用発明２の「超高圧水銀ランプ等の二つの光源ランプ１３と前記光源ランプ１３からの放射光を集光方向に反射して一方向に出射するリフレクタ１４とからなる互いに隣接して配置された光源部１２Ａ，１２Ｂ」は、本願発明の「互いに隣接して配置された光源である複数のランプ」に相当する。
（イ）引用発明２の「排気ファン６」と本願発明の「排気ファン」とは、プロジェクタ内部を冷却する「排気ファン」である点で共通する。
（ウ）本願発明は、吸気部や吸気ファンを備えることを排除するものではないことから、上記（ア）及び（イ）より、本願発明と引用発明２は、
「互いに隣接して配置された光源である複数のランプと、排気ファンと、を備える、プロジェクタ。」
の点で一致し、下記の相違点３及び４で相違すると認められる。
＜相違点３＞
　本願発明の「排気ファン」は、「互いに隣接して配置された光源である複数のランプ」「に隣接して設置され」ているのに対して、引用発明２の「排気ファン６」は、「互いに隣接して配置された光源である複数のランプ」に隣接して設置されていない点。
＜相違点４＞
　本願発明では「複数のランプの空気の排出側に設置された伝熱部材」「を備える」のに対して、引用発明２ではそのような伝熱部材が設置されているかどうか明らかでない点。
イ　相違点の判断
（ア）相違点３について
　上記「第２　３（３）　イ（ア）」で示したとおり、プロジェクタや光源を冷却するために、二つの光源に隣接して設置された一つの排気ファンを設置することは、周知の事項である。
　そして、筐体の大きさや形等に応じて、排気ファンをどのように配置するかは、当業者が適宜決定する事項にすぎない。
　してみると、引用発明２において、プロジェクタ内部や光源を冷却するために周知の事項である排気ファンを適用して、「排気ファン６」を複数のランプに隣接して設置することは、当業者が容易に想到し得ることである。
（イ）相違点４について
　上記「第２　３（３）　イ（イ）」で示したとおり、光源を冷却するために、複数の光源の空気の排出側に伝熱部材を設置することは周知の事項である。
　してみると、引用発明２において、プロジェクタ内部や光源を冷却するために周知の事項である伝熱部材を適用して、複数のランプの空気の排出側に伝熱部材を設置することは、当業者が容易に想到し得ることである。
（ウ）まとめ
　以上のとおり、相違点３及び４に係る本願発明の特定事項は当業者が容易に想到し得ることである。
　そして、本願発明が奏する作用効果も、引用発明２及び上記周知の事項から当業者が予測できる範囲を超えるものではない。
第４　むすび
　以上のとおり、本願の請求項１に係る発明は、引用発明２及び上記周知の事項に基づいて当業者が容易に発明をすることができたものであるから、特許法第２９条第２項の規定により特許を受けることができない。
　したがって、その余の請求項に係る発明について論及するまでもなく、本願は拒絶すべきものである。
　よって、結論のとおり審決する。